(57)【要約】【課題】未加圧部の温度を低下させてゴムの発泡とスコーチを阻止して連続して加硫することができる部品数の少ないベルト加硫装置とその加硫方法を提供することを目的としている。【解決手段】駆動する主軸ロール３１と昇降可能な従動ロール３２にゴムベルト２を装着するベルト回転部３と、駆動ロール４１と少なくともガイドロール４２とテンションロール４３からなるロールに加圧バンド４４を懸架し、加圧バンド４４をベルト回転部３の主軸ロール３１を加圧するように巻き付けたベルト加圧部４と、主軸ロール３１の内部に蒸気７と冷却水８を圧入して収容し、加圧バンド４４に当接する加圧領域９をゴムベルト２が加硫する温度に維持し、非加圧領域１０を冷却水８で冷却した加熱冷却部５と、を備えているベルト加硫装置１である。【選択図】図２
2005144824.tif 000002
【特許請求の範囲】
【請求項１】
ゴムベルトを連続して加硫する装置において、
駆動する主軸ロールと昇降可能な従動ロールにゴムベルトを装着するベルト回転部と、
駆動ロールと複数のガイドロールに加圧バンドを懸架し、該加圧バンドをベルト回転部の主軸ロールを加圧するように巻き付けたベルト加圧部と、
ベルト回転部の主軸ロールの内部に蒸気と冷却水を圧入して収容し、加圧バンドに当接する加圧領域をゴムベルトが加硫する温度に維持し、非加圧領域を冷却水で冷却した加熱冷却部と、
を備えていることを特徴とするベルト加硫装置。
【請求項２】
主軸ロールから排水される冷却水の温度を計測し、冷却水の主軸ロール内への圧入量を調節する流量制御装置を備えている請求項１記載のベルト加硫装置。
【請求項３】
ゴムベルトを連続して加硫する方法において、
駆動する主軸ロールと昇降可能な従動ロールに装着したゴムベルトを回転し、同時に駆動ロールと複数のガイドロールに懸架した加圧バンドを回転させながら主軸ロールに巻き付けたゴムベルトを加圧し、そして主軸ロールの内部に蒸気と冷却水を圧入し、加圧バンドに当接する領域のみを加熱しながらゴムベルトを連続して加硫することを特徴とするベルト加硫方法。
【請求項４】
主軸ロールから排水される冷却水の温度が上昇すれば、冷却水の主軸ロール内への圧入量を多くする請求項３記載のベルト加硫方法。
【発明の詳細な説明】
【技術分野】
【０００１】
本発明は、ベルト加硫装置とその加硫方法に係り、詳しくはVリブドベルト、Vベルト、平ベルト等の製造工程で使用する心線をゴム層の積層物であるベルトスリーブを発泡が発生しないように連続して加硫することができるベルト加硫装置とその加硫方法に関する。
【背景技術】
【０００２】
従来のベルトスリーブの加硫装置としては、ベルトスリーブを外周面に装着した内部中空の成形型に、更にその外周面に円筒状ジャケットを同心状に嵌装したものを加硫缶中の下方に位置する支持台に設置し、更に成形型の上に上蓋を置き、成形型の外側に高圧蒸気を、型内部に低圧蒸気をそれぞれ圧入して、ベルトスリーブを加硫する方法があった。
【０００３】
更に、他の装置として特許文献１には、加熱装置を備えた一対の加圧バンドの間にベルトスルーブを装着した金型を挟みながら加熱加圧してベルトスリーブを加硫する装置も提案されている。
【０００４】
また、特許文献２には、ベルトのサイズ毎に金型を作る必要がなく、焼き境が少なく、小サイズのベルトにも対応できるベルト加硫装置が開示されている。これによると、主ロールとテンションロールに懸架したスラブ（ベルトスリーブ）を第１のローラチェンに装着した第１のスチールバンドと第２のローラチェンに装着した第２のスチールバンドに挟持して加熱加圧して加硫するもので、第１のスチールバンドを中央熱盤で加熱し、第２のスチールバンドを外部加熱盤で常時加熱することが記載されている。
【０００５】
しかし、これらの装置では、加圧バンドで押圧して加硫する方式では、ベルトスリーブが加圧されていない部分へ熱が伝播してゴムが発泡し、スコーチを起こす不具合が発生した。また、加圧バンドの押圧が入口と出口で変化し、ベルトスリーブに皺が発生する問題もあった。
【０００６】
特許文献２のベルトスリーブを連続加硫装置では、ベルトスリーブを中央熱盤で加熱された第１のスチールバンドと外部加熱盤で加熱された第２のスチールバンドに挟持して加熱加圧して加硫するために、非加圧部のスコーチが発生しやすく、更には一対のスチールバンドと２つの熱盤を使用しているために、装置の部品数が多くなり高価な装置になる問題があった。
【特許文献１】実開平５−３５２２９号公報
【特許文献２】特開平９−３８９９５号公報
【発明の開示】
【発明が解決しようとする課題】
【０００７】
本発明はこのような問題点を解決するものであり、未加圧部の温度を低下させてゴムの発泡とスコーチを阻止して連続して加硫することができる部品数の少ないベルト加硫装置とその加硫方法を提供することを目的としている。
【課題を解決するための手段】
【０００８】
本願請求項記載のベルト加硫装置では、ゴムベルトを連続して加硫する装置において、駆動する主軸ロールと昇降可能な従動ロールにゴムベルトを装着するベルト回転部と、駆動ロールと複数のガイドロールに加圧バンドを懸架し、該加圧バンドをベルト回転部の主軸ロールを加圧するように巻き付けたベルト加圧部と、ベルト回転部の主軸ロールの内部に蒸気と冷却水を圧入して収容し、加圧バンドに当接する加圧領域をゴムベルトが加硫する温度に維持し、非加圧領域を冷却水で冷却した加熱冷却部と、を備えているベルト加硫装置にあり、また主軸ロールから排出される冷却水の温度を計測し、冷却水の主軸ロール内への圧入量を調節する流量制御装置を備えている場合も含む。
【０００９】
また、本願請求項記載のベルト加硫方法では、ゴムベルトを連続して加硫する方法において、駆動する主軸ロールと昇降可能な従動ロールに装着したゴムベルトを回転し、同時に駆動ロールと複数のガイドロールに懸架した加圧バンドを回転させながら主軸ロールに巻き付けたゴムベルトを加圧し、そして主軸ロールの内部に蒸気と冷却水を圧入し、加圧バンドに当接する領域のみを加熱しながらゴムベルトを連続して加硫するベルト加硫方法にあり、主軸ロールから排出される冷却水の温度が上昇すれば、冷却水の主軸ロール内への圧入量を多くする場合も含む。
【発明の効果】
【００１０】
本願発明によれば、主軸ロールの内部に蒸気と冷却水を同時に収容し、加圧バンドによって加圧されている加圧領域のみを加熱してゴムベルトを加硫し、非加圧領域を冷却水で冷やすことでゴムベルトに発泡を起こさせず、またスコーチも発生しないために焼き境を阻止して連続して均一な加硫ゴムベルトを得ることができる。しかし、加圧バンドも１本で、加熱も主軸ロールのみであるために部品数も少なくなって安価なベルト加硫装置になる。
【発明を実施するための最良の形態】
【００１１】
以下、本発明の実施例を添付図面に従って説明する。図１は本発明に係るベルト加硫装置の概略図、図２は図１のＡ―Ａ断面図、図３は主軸ロール３１の拡大図、そして図４は未加硫のゴムベルトを主軸ロールに装着した直後のベルト加硫装置の状態を示す。
【００１２】
本発明のベルト加硫装置１では、ゴムベルト２を連続して加硫する装置であり、基本的にベルト回転部３、ベルト加圧部４、そして加熱冷却部５から構成されている。
【００１３】
上記ベルト回転部３は、原動機（図示せず）によって駆動する主軸ロール３１とシリンダー３３の稼動によって主軸ロール３１へ近接または離反する昇降可能な従動ロール３２からなり、ゴムベルト２の長さに応じて従動ロール３２を移動して主軸ロール３１と従動ロール３２の軸間距離を調節することができる。また、主軸ロール３１中に中空状の収容部３４が設けられ、後述するように蒸気７と冷却水８を同時に入れることで、加圧領域９を加熱し、未加圧領域１０を冷却するようになっている。
【００１４】
ベルト加圧部４は、駆動ロール４１とガイドロール４２とテンションロール４３にスティールバンド等からなる加圧バンド４４を懸架し、該加圧バンド４４をベルト回転部３の主軸ロール３１に当接するように巻き付け、そして最上部にあるテンションロール４３を上下動させて加圧バンド４４の張力を緩和あるいは緊張させることができる。加圧バンド４４は駆動ロール４１の回転に伴って移動する。
【００１５】
加熱冷却部５は、図２に示すように、主軸ロール３１の一端には軸受５１、５１に支持された蒸気用配管５２が連結され、該主軸ロール３１の他端には冷却水用配管５３と冷却水８を排水するドレン管５４が接続され、蒸気７を蒸気用配管５２から主軸ロール３１内の収容部３４の上部領域である加圧領域９に封入するとともに、冷却水８を冷却水用配管５３から収容部３４の下部領域である未加圧領域１０に同時に圧入する。そして、所定容積を超えた冷却水８はドレン管５４から排水される。このようにして、加圧領域９のみが加熱され、非加圧領域１０が冷却水８で冷却される。
【００１６】
また、本発明のベルト加硫装置１は、流量制御装置６を備えている。これは主軸ロール３１からドレン管５４を経由して排水の温度を温度センサー６１によって計測し、所定値より高くなると電気信号によりバルブ６２の開閉量を制御して冷却水８の主軸ロール３１内への圧入量を多くして温度を低下させるように調節している。
【００１７】
本発明のベルト加硫装置１を用いた加硫方法は以下の通りである。
【００１８】
ベルト回転部３の従動ロール３２をシリンダー３３の動作によって主軸ロール３１側へ近接させ、同時にベルト加圧部４のテンションロール４３を下降させて加圧バンド４３の張力を緩和する。
【００１９】
熱媒体となる蒸気を回転している主軸ロール３１内の収容部３４の上部領域に０．５〜１．５ＭPａで圧入され、同時に１０〜３０℃の工業用水である冷却水８をポンプにより冷却水用配管５３から収容部３４の下部領域に同時に圧入する。このとき、封入した蒸気の占有容積は加圧バンド４４の主軸ロール３１への巻き付け角度、即ち加圧バンド４４がゴムベルト２を加圧している領域である。このとき、主軸ロール３１の加圧領域の温度を１４０〜１７０℃に安定させ、未加圧領域の温度を１１０℃以下に保つ。
【００２０】
ゴムベルト２を主軸ロール３１と従動ロール３２に懸架し、従動ロール３２を下降させて張力を付与した後、テンションロール４３を上昇させて加圧バンド４３に張力を付与してゴムベルト２を加圧する。加圧バンド４４の主軸ロール３１への巻き付け角度として、８０〜１８０度にする。そして、加圧バンド４４とゴムベルト２を同時に周速０．５〜２ｒｐｈの速度で回転させながらゴムベルト２を１回転して連続加硫する。
【００２１】
ゴムベルト２の連続加硫が終わると、従動ロール３２をシリンダー３３の動作によって主軸ロール３１側へ近接させ、同時にベルト加圧部４のテンションロール４３を下降させて加圧バンド４４の張力を緩和した後、ゴムベルトを主軸ロール３１から取出す。加硫が終わった段階で、蒸気の収容部３４への圧入を停止して加圧領域の温度を低下させる。
【００２２】
この結果、加硫したゴムベルトは加圧領域のみが加硫され、非加圧領域が冷却水で冷やされるためにゴムベルトに発泡が起こらず、またスコーチも発生しないために焼き境を阻止して連続して均一に加硫したものが得られる。
【産業上の利用可能性】
【００２３】
本発明は、Vリブドベルト、Vベルト、平ベルト等のベルトスリーブであるゴムベルトを発泡が発生しない均一な加硫物に仕上げることができる。
【図面の簡単な説明】
【００２４】
【図１】本発明に係るベルト加硫装置の概略図である。
【図２】図１のＡ―Ａ断面図である。
【図３】主軸ロールの拡大図である。
【図４】未加硫のゴムベルトを主軸ロールに装着した直後のベルト加硫装置の状態を示す。
【符号の説明】
【００２５】
１    ベルト加硫装置
２    ゴムベルト
３    ベルト回転部
４    ベルト加圧部
５    加熱冷却部
６    流量制御装置
７    蒸気
８    冷却水
９    加圧領域
１０    未加圧領域
３１    主軸ロール
３２    従動ロール
４１    駆動ロール
４２    ガイドロール
４３    テンションロール
４４    加圧バンド
５２    蒸気用配管
５３    冷却水用配管
５４    ドレン管
【図１】
2005144824.tif 000003
【図２】
2005144824.tif 000004
【図３】
2005144824.tif 000005
【図４】
2005144824.tif 000006